(57)【要約】【課題】層転写装置の加熱部材のムダな加熱を抑制できる。【解決手段】層転写装置は、多層フィルムと接触して加熱し、多層フィルムの搬送方向と直交する多層フィルムの幅方向に沿って延びる加熱部材と、加熱部材を加熱する第１ヒータおよび第２ヒータとを有する加熱部と、制御部と、を備えている。第１ヒータは、加熱部材の第１部分を、幅方向に第１部分と並ぶ加熱部材の第２部分よりも強く加熱する。第２ヒータは、第２部分を、第１部分よりも強く加熱する。制御部は、層転写時に、第１ヒータを所定の消費電力で制御するとともに、第２ヒータを第１の消費電力または第１の消費電力より小さな第２の消費電力で制御し、多層フィルムおよびシートの両方が第２部分の表面上を通過する場合、第２ヒータを第１の消費電力で制御し、多層フィルムおよびシートのうち少なくとも一方が第２部分の表面上を通過しない場合、第２ヒータを第２の消費電力で制御する。【選択図】図９
2020122908.tif 000002
【特許請求の範囲】
【請求項１】
シートのトナー像が形成された面に複数の層からなる多層フィルムを重ね、前記トナー像の上に前記多層フィルムの少なくとも一層を転写する層転写を実行可能な層転写装置であって、
前記多層フィルムと接触して前記多層フィルムを加熱する加熱部材であって、前記多層フィルムの搬送方向と直交する前記多層フィルムの幅方向に沿って延びる加熱部材と、前記加熱部材を加熱する第１ヒータおよび第２ヒータとを有する加熱部と、
制御部と、を備え、
前記第１ヒータは、前記加熱部材の第１部分を、前記幅方向に前記第１部分と並ぶ前記加熱部材の第２部分よりも強く加熱し、
前記第２ヒータは、前記第２部分を、前記第１部分よりも強く加熱し、
前記制御部は、
層転写時に、前記第１ヒータを所定の消費電力で制御するとともに、前記第２ヒータを第１の消費電力または前記第１の消費電力より小さな第２の消費電力で制御し、
前記多層フィルムおよび前記シートの両方が前記第２部分の表面上を通過する場合、前記第２ヒータを前記第１の消費電力で制御し、
前記多層フィルムおよび前記シートのうち少なくとも一方が前記第２部分の表面上を通過しない場合、前記第２ヒータを前記第２の消費電力で制御することを特徴とする層転写装置。
【請求項２】
前記制御部は、
第１信号を受けることで、前記多層フィルムが前記第２部分の表面上を通過すると判定し、
第２信号を受けることで、前記多層フィルムが前記第２部分の表面上を通過しないと判定することを特徴とする請求項１に記載の層転写装置。
【請求項３】
前記多層フィルムが前記第２部分の表面上を通過するか否かを検知可能なフィルムセンサを備え、
前記フィルムセンサは、
前記多層フィルムが、前記第１部分と前記第２部分とに跨って対面するように前記層転写装置に保持されている場合に前記第１信号を前記制御部に出力し、
前記多層フィルムが、前記第２部分と対面せず、前記第１部分のみに対面するように前記層転写装置に保持されている場合に前記第２信号を前記制御部に出力することを特徴とする請求項２に記載の層転写装置。
【請求項４】
前記層転写装置は、第１フィルムカートリッジ、または、第２フィルムカートリッジを装着可能であり、
前記第１フィルムカートリッジは、前記層転写装置に装着された状態において、前記多層フィルムが前記第１部分と前記第２部分とに跨って対面するように前記多層フィルムを保持しており、
前記第２フィルムカートリッジは、前記層転写装置に装着された状態において、前記多層フィルムが前記第２部分と対面せず、前記第１部分のみに対面するように前記多層フィルムを保持しており、
前記フィルムセンサは、
前記第１フィルムカートリッジが装着された場合に前記第１信号を前記制御部に出力し、
前記第２フィルムカートリッジが装着された場合に前記第２信号を前記制御部に出力することを特徴とする請求項３に記載に層転写装置。
【請求項５】
前記シートの搬送方向において前記加熱部材の上流側に配置され、前記シートが前記第２部分の表面上を通過するか否かを検知可能なシートセンサを備えることを特徴とする請求項３または請求項４に記載の層転写装置。
【請求項６】
前記制御部は、
前記第１信号を前記フィルムセンサから受けた場合、前記シートの搬送を開始する前から前記第２ヒータの前記第１の消費電力による制御を開始し、
前記シートの搬送を開始した後、前記シートが前記第２部分の表面上を通過しないことを示す信号を前記シートセンサから受けた場合、前記第２ヒータを前記第１の消費電力による制御から前記第２の消費電力による制御に切り替えることを特徴とする請求項５に記載の層転写装置。
【請求項７】
前記制御部は、前記第２信号を前記フィルムセンサから受けた場合、前記シートの搬送を開始する前から前記第２ヒータの前記第２の消費電力による制御を開始することを特徴とする請求項５または請求項６に記載の層転写装置。
【請求項８】
前記制御部は、前記多層フィルムが前記第２部分の表面上を通過すると判定し、かつ、前記シートのうち搬送方向下流部分が前記第２部分の表面上を通過しないと判定することにより、前記第２ヒータを前記第２の消費電力とした後、前記下流部分が前記第２部分の表面上を通過しないと判定した前記シートのうち搬送方向上流部分が前記第２部分の表面上を通過すると判定した場合、前記第２ヒータの制御を前記第２の消費電力による制御から前記第１の消費電力による制御に切り替えることを特徴とする請求項５から請求項７のいずれか１項に記載の層転写装置。
【請求項９】
前記制御部は、
前記多層フィルムが前記第２部分の表面上を通過すると判定し、かつ、前記シートが前記第２部分の表面上を通過しないと判定した場合、前記第２ヒータを前記第２の消費電力とし、
前記第２ヒータを前記第２の消費電力とした後で、前記シートの層転写が終了した後に搬送されてきた他のシートが前記第２部分の表面上を通過しないと判定した場合、前記他のシートの搬送が終了する前に次のシートの搬送を開始し、
前記第２ヒータを前記第２の消費電力とした後で、前記他のシートが前記第２部分の表面上を通過すると判定した場合、前記他のシートの搬送が終了する前に次のシートの搬送を開始するのを禁止することを特徴とする請求項５から請求項８のいずれか１項に記載の層転写装置。
【請求項１０】
前記第１部分は、前記幅方向における前記加熱部材の中央部であり、
前記第２部分は、前記幅方向における前記加熱部材の両端部であることを特徴とする請求項１から請求項９のいずれか１項に記載の層転写装置。
【発明の詳細な説明】
【技術分野】
【０００１】
本発明は、加熱部材を備えた層転写装置に関する。
【背景技術】
【０００２】
従来、加熱部材によってシートに画像を定着させる熱定着装置が知られている（特許文献１参照）。この熱定着装置は、幅方向に複数個に分割されたヒータを個別にＯＮ、ＯＦＦできるようになっており、シートの幅が狭いときには、端部付近のヒータをＯＦＦするようになっている。
【先行技術文献】
【特許文献】
【０００３】
【特許文献１】特開平０２−２５４４８１号公報
【発明の概要】
【発明が解決しようとする課題】
【０００４】
ところで、層転写装置においては、シートの幅を考慮してヒータを制御しても、定着させる層の幅を考慮しないと、ヒータで加熱部材をムダに加熱してしまう虞がある。
【０００５】
そこで、本発明は、層転写装置の加熱部材をムダに加熱してしまうことを抑制することを目的とする。
【課題を解決するための手段】
【０００６】
前記課題を解決するため、本発明に係る層転写装置は、シートのトナー像が形成された面に複数の層からなる多層フィルムを重ね、トナー像の上に多層フィルムの少なくとも一層を転写する層転写を実行可能である。
層転写装置は、多層フィルムと接触して多層フィルムを加熱する加熱部材であって、多層フィルムの搬送方向と直交する多層フィルムの幅方向に沿って延びる加熱部材と、加熱部材を加熱する第１ヒータおよび第２ヒータとを有する加熱部と、制御部と、を備えている。
第１ヒータは、加熱部材の第１部分を、幅方向に第１部分と並ぶ加熱部材の第２部分よりも強く加熱する。第２ヒータは、第２部分を、第１部分よりも強く加熱する。
制御部は、層転写時に、第１ヒータを所定の消費電力で制御するとともに、第２ヒータを第１の消費電力または第１の消費電力より小さな第２の消費電力で制御し、多層フィルムおよびシートの両方が第２部分の表面上を通過する場合、第２ヒータを第１の消費電力で制御し、多層フィルムおよびシートのうち少なくとも一方が第２部分の表面上を通過しない場合、第２ヒータを第２の消費電力で制御する。
【０００７】
この構成によれば、多層フィルムおよびシートのうち少なくとも一方が加熱部材の第２部分の表面上を通過しない場合、第２ヒータを第２の消費電力で制御するので、ヒータが加熱部材をムダに加熱してしまうことを抑制できる。
【０００８】
また、前記した層転写装置において、制御部は、第１信号を受けることで、多層フィルムが第２部分の表面上を通過すると判定し、第２信号を受けることで、多層フィルムが第２部分の表面上を通過しないと判定する構成としてもよい。
【０００９】
また、前記した層転写装置において、多層フィルムが第２部分の表面上を通過するか否かを検知可能なフィルムセンサを備え、フィルムセンサは、多層フィルムが、第１部分と第２部分とに跨って対面するように層転写装置に保持されている場合に第１信号を制御部に出力し、多層フィルムが、第２部分と対面せず、第１部分のみに対面するように層転写装置に保持されている場合に第２信号を制御部に出力する構成としてもよい。
【００１０】
これによれば、フィルムセンサによって多層フィルムが第２部分の表面上を通過する否かを検知可能であるため、ユーザが多層フィルムの大きさを入力する必要がなくなる。
【００１１】
また、前記した層転写装置は、第１フィルムカートリッジ、または、第２フィルムカートリッジを装着可能であり、第１フィルムカートリッジは、層転写装置に装着された状態において、多層フィルムが第１部分と第２部分とに跨って対面するように多層フィルムを保持しており、第２フィルムカートリッジは、層転写装置に装着された状態において、多層フィルムが第２部分と対面せず、第１部分のみに対面するように多層フィルムを保持しており、フィルムセンサは、第１フィルムカートリッジが装着された場合に第１信号を制御部に出力し、第２フィルムカートリッジが装着された場合に第２信号を制御部に出力する構成としてもよい。
【００１２】
また、前記した層転写装置において、シートの搬送方向において加熱部材の上流側に配置され、シートが第２部分の表面上を通過するか否かを検知可能なシートセンサを備える構成としてもよい。
【００１３】
これによれば、シートセンサによってシートが第２部分の表面上を通過する否かを検知可能であるため、ユーザがシートの大きさを入力する必要がなくなる。
【００１４】
また、前記した層転写装置において、制御部は、第１信号をフィルムセンサから受けた場合、シートの搬送を開始する前から第２ヒータの第１の消費電力による制御を開始し、シートの搬送を開始した後、シートが第２部分の表面上を通過しないことを示す信号をシートセンサから受けた場合、第２ヒータを第１の消費電力による制御から第２の消費電力による制御に切り替える構成としてもよい。
【００１５】
これによれば、シート搬送を開始する前から第２ヒータの第１消費電力による制御を開始するので、シート搬送を開始してから転写するまでの時間を短縮できる。また、シートが加熱部材の第２部分の表面上を通過しない場合には、第２ヒータを第２の消費電力による制御に切り替えるので、第２ヒータが加熱部材をムダに加熱してしまうことを抑制できる。
【００１６】
また、前記した層転写装置において、制御部は、第２信号をフィルムセンサから受けた場合、シートの搬送を開始する前から第２ヒータの第２の消費電力による制御を開始する構成としてもよい。
【００１７】
これによれば、第２信号を受けた場合、すなわち多層フィルムが加熱部材の第２部分の表面上を通過しない場合には、第２ヒータを第２の消費電力による制御とするので、加熱部材のムダな加熱を抑制できる。
【００１８】
また、前記した層転写装置において、制御部は、多層フィルムが第２部分の表面上を通過すると判定し、かつ、シートのうち搬送方向下流部分が第２部分の表面上を通過しないと判定することにより、第２ヒータを第２の消費電力とした後、下流部分が第２部分の表面上を通過しないと判定したシートのうち搬送方向上流部分が第２部分の表面上を通過すると判定した場合、第２ヒータの制御を第２の消費電力による制御から第１の消費電力による制御に切り替える構成としてもよい。
【００１９】
これによれば、例えば、搬送方向下流部分の幅が狭く、搬送方向上流側の幅が広い形状のシートが搬送された場合であっても、制御部が第２の消費電力による制御から第１の消費電力による制御に切り替えるので、シートの幅が広い部分の加熱が弱くなることを抑制できる。
【００２０】
また、前記した層転写装置において、制御部は、多層フィルムが第２部分の表面上を通過すると判定し、かつ、シートが第２部分の表面上を通過しないと判定した場合、第２ヒータを第２の消費電力とし、第２ヒータを第２の消費電力とした後で、シートの層転写が終了した後に搬送されてきた他のシートが第２部分の表面上を通過しないと判定した場合、前記他のシートの搬送が終了する前に次のシートの搬送を開始し、第２ヒータを第２の消費電力とした後で、他のシートが第２部分の表面上を通過すると判定した場合、前記他のシートの搬送が終了する前に次のシートの搬送を開始するのを禁止する構成としてもよい。
【００２１】
これによれば、幅の狭いシートを層転写した後に、幅の広い他のシートが搬送されてきた場合、次のシートを搬送しないので、次のシートに対する層転写不良を抑制できる。
【００２２】
また、前記した層転写装置において、第１部分は、幅方向における加熱部材の中央部であり、第２部分は、幅方向における加熱部材の両端部である構成としてもよい。
【発明の効果】
【００２３】
本発明によれば、層転写装置の加熱部材のムダな加熱を抑制できる。
【図面の簡単な説明】
【００２４】
【図１】本発明の一実施形態に係る層転写装置を示す図である。
【図２】層転写装置のカバーを開けた状態を示す図である。
【図３】加熱部の断面図である。
【図４】シートの搬送経路におけるシートセンサの位置を説明する図（ａ）と、各シートにおけるシートセンサの判定結果を示す表（ｂ）である。
【図５】フィルムユニットの説明図であり、フィルムカートリッジをホルダから取り外した状態を示す分解斜視図である。
【図６】第１フィルムユニット（ａ）と、第２フィルムユニット（ｂ）と、第３フィルムユニット（ｃ）を示す斜視図である。
【図７】３つのフィルムセンサを示す図（ａ）と、各センサの判定結果を示す表（ｂ）である。
【図８】アクチュエータが遮蔽位置にある状態を示す図（ａ）と、アクチュエータが開放位置にある状態を示す図（ｂ）である。
【図９】制御部の動作の一例を示すフローチャートである。
【図１０】台形のシートとシートセンサの位置を説明する図（ａ）と、長方形シートを中央シートセンサとサイドシートセンサで検知したときのタイムチャート（ｂ）と、台形のシートを中央シートセンサとサイドシートセンサで検知したときのタイムチャート（ｃ）である。
【発明を実施するための形態】
【００２５】
本発明の一実施形態について、適宜図面を参照しながら詳細に説明する。
以下の説明において、方向は、図１に示す方向で説明する。すなわち、図１の右側を「前」とし、図１の左側を「後」とし、図１の紙面手前側を「左」とし、図１の紙面奥側を「右」とする。また、図１の上下を「上下」とする。
【００２６】
図１に示すように、層転写装置１は、例えばレーザプリンタ等の画像形成装置でシートＳにトナー像を形成した後、シートのトナー像が形成された面に複数の層からなる多層フィルムを重ね、トナー像の上に多層フィルムの少なくとも一層を転写する層転写を実行可能である。層転写装置１は、筐体２と、シートトレイ３と、シート搬送部１０と、フィルム供給部３０と、転写部５０と、制御部８０とを備えている。
【００２７】
筐体２は、樹脂などからなり、筐体本体２１と、カバー２２とを備えている。
筐体本体２１は、上部に開口２１Ａ（図２参照）を有している。開口２１Ａは、後述するフィルムユニットＦＵが通過可能な大きさを有している。
また、筐体本体２１は、後述するように、フィルムユニットＦＵを着脱可能に保持する第１保持部ＧＤ１と第２保持部ＧＤ２を有する。詳細には、第１保持部ＧＤ１は、後述するボス１１１Ｃを保持し、第２保持部ＧＤ２は、後述する巻取リール３５を保持する。
カバー２２は、開口２１Ａを開閉するための部材である。カバー２２の後端部は、筐体本体２１に回動可能に支持されている。カバー２２は、開口２１Ａを閉じる閉位置（図１の位置）と、開口２１Ａを開放する開位置（図２の位置）との間で回動可能となっている。
【００２８】
シートトレイ３は、用紙、ＯＨＰフィルム等のシートＳが載置されるトレイである。シートトレイ３は、筐体２の後部に設けられている。なお、シートＳは、トナー像が形成された面を下向きにしてシートトレイ３上に載置される。
【００２９】
シート搬送部１０は、シート供給機構１１と、シート排出機構１２とを備えている。シート供給機構１１は、シートトレイ３上のシートＳを一枚ずつ転写部５０に向けて搬送する機構である。シート供給機構１１は、供給ローラ１１Ａとリタードローラ１１Ｂを備えている。供給ローラ１１Ａは、シートトレイ３上のシートＳを転写部５０に向けて搬送する。リタードローラ１１Ｂは、供給ローラ１１Ａに対向している。リタードローラ１１Ｂは、シートを戻す方向に回転してシートＳを一枚ずつに分離する。
【００３０】
シート排出機構１２は、転写部５０を通過したシートＳを筐体２の外部に排出する機構である。シート排出機構１２は、複数の搬送ローラを備えている。
【００３１】
フィルム供給部３０は、シート供給機構１１から搬送されたシートＳに重ねるように多層フィルムＦを供給する部分である。フィルム供給部３０は、フィルムユニットＦＵと、モータ等の駆動源（図示せず）を備えている。
【００３２】
フィルムユニットＦＵは、図２に示すように、後述する供給リール３１の軸方向に直交する方向において、開口２１Ａを通過して筐体本体２１に着脱可能となっている。図１に示すように、フィルムユニットＦＵは、多層フィルムＦと、供給リール３１と、巻取リール３５と、第１案内軸４１と、第２案内軸４２と、第３案内軸４３とを備えている。
【００３３】
多層フィルムＦは、複数の層からなるフィルムである。詳しくは、多層フィルムＦは、
支持層と、被支持層とを有する。支持層は、高分子材料からなるテープ状の透明な基材であり、被支持層を支持している。被支持層は、例えば、剥離層と、転写層と、接着層とを有する。剥離層は、支持層から転写層を剥離しやすくするための層であり、支持層と転写層との間に配置されている。
【００３４】
転写層は、トナー像に転写される層であり、箔を含んでいる。箔とは、金、銀、銅、アルミニウム等の金属であって薄く延された金属である。転写層は、剥離層と接着層との間に配置されている。接着層は、転写層をトナー像に接着しやすくするための層である。
【００３５】
供給リール３１は、樹脂などからなり、多層フィルムＦが巻回される供給軸部３１Ａを有している。供給軸部３１Ａには、多層フィルムＦの一端が固定されている。多層フィルムＦは、支持層を外側、被支持層（転写層）を内側にして、供給リール３１に巻回されている。
【００３６】
巻取リール３５は、樹脂などからなり、多層フィルムＦを巻き取るための巻取軸部３５Ａを有している。巻取軸部３５Ａには、多層フィルムＦの他端が固定されている。多層フィルムＦは、支持層を外側、被支持層（転写層）を内側にして、巻取リール３５に巻回されている。
【００３７】
なお、図１等においては、便宜上、供給リール３１および巻取リール３５の両方に多層フィルムＦが最大に巻回された状態を図示することとする。実際には、フィルムユニットＦＵが新品の状態においては、供給リール３１に巻回されたロール状の多層フィルムＦの径は最大となっており、巻取リール３５には多層フィルムＦが巻回されていない、もしくは、巻取リール３５に巻回されたロール状の多層フィルムＦの径は最小となっている。また、フィルムユニットＦＵの寿命時（多層フィルムＦを使い切ったとき）においては、巻取リール３５に巻回されたロール状の多層フィルムＦの径は最大となり、供給リール３１には多層フィルムＦが巻回されていない、もしくは、供給リール３１に巻回されたロール状の多層フィルムＦの径は最小となる。
【００３８】
第１案内軸４１は、供給リール３１から引き出される多層フィルムＦの進行方向を変更するための軸である。
第２案内軸４２は、第１案内軸４１で案内された多層フィルムＦの進行方向を変更するための軸である。
第３案内軸４３は、第２案内軸４２で案内された多層フィルムＦの進行方向を変更して巻取リール３５に案内する軸である。
【００３９】
フィルムユニットＦＵが筐体本体２１に装着されることで層転写装置１にセットされると、巻取リール３５は、筐体２に設けられた駆動源（図示せず）によって図示反時計回りに回転駆動される。巻取リール３５が回転すると、供給リール３１に巻回された多層フィルムＦが引き出され、引き出された多層フィルムＦが巻取リール３５に巻き取られていく。詳しくは、層転写中において、後述する加圧ローラ５１と加熱部６０によって多層フィルムＦが送り出されることで、供給リール３１から多層フィルムＦが引き出される。そして、加圧ローラ５１と加熱部６０から送り出された多層フィルムＦが、巻取リール３５に巻き取られていく。
【００４０】
第１案内軸４１は、トナー像を下にした状態で搬送されるシートＳに対して、供給リール３１から引き出された多層フィルムＦを下から重ねるように案内している。第１案内軸４１は、供給リール３１から引き出された多層フィルムＦの搬送方向を変えて、シートＳの搬送方向と略平行に多層フィルムＦを案内する。
【００４１】
第２案内軸４２は、転写部５０を通過した多層フィルムＦと接触し、転写部５０を通過した多層フィルムＦの搬送方向をシートＳの搬送方向とは異なる方向に変更している。転写部５０を通過してシートＳと重なった状態で搬送された多層フィルムＦは、第２案内軸４２を通過する際にシートＳとは異なる方向に案内され、シートＳから剥離される。
【００４２】
転写部５０は、シートＳと多層フィルムＦを重ねた状態で加熱および加圧することで、シートＳに形成されたトナー像の上に転写層を転写するための部分である。転写部５０は、加圧ローラ５１と、加熱部６０とを備えている。転写部５０は、加圧ローラ５１と加熱部６０のニップ部において、シートＳと多層フィルムＦを重ねて加熱および加圧する。
【００４３】
加圧ローラ５１は、円筒状の芯金の周囲をシリコンゴムからなるゴム層で被覆したローラである。加圧ローラ５１は、多層フィルムＦの上側に配置され、シートＳの裏面（トナー像が形成された面と反対側の面）と接触可能となっている。
【００４４】
加圧ローラ５１は、両端部がカバー２２に回転可能に支持されている。加圧ローラ５１は、加熱部６０との間でシートＳおよび多層フィルムＦを挟み、駆動源（図示せず）によって回転駆動されることで加熱部６０を従動回転させる。
【００４５】
加熱部６０は、多層フィルムＦの下側に配置され、多層フィルムＦと接触して、多層フィルムＦおよびシートＳを加熱する部材である。加熱部６０は、多層フィルムＦの搬送方向と直交する多層フィルムＦの幅方向（以下の説明では単に「幅方向」という。）に沿って延びている。図３に示すように、加熱部６０は、加熱部材６１と、第１ヒータ６２と、第２ヒータ６３とを有している。
【００４６】
加熱部材６１は、円筒状に形成された金属管からなるローラである。加熱部材６１は、多層フィルムＦと接触して、多層フィルムＦおよびシートＳを加熱する部材である。
【００４７】
第１ヒータ６２は、加熱部材６１を加熱する。第１ヒータ６２は、幅方向における中央部６２Ａの出力が幅方向における両端部６２Ｂより出力が高い。このため、第１ヒータ６２は、加熱部材６１のうち、幅方向における中央部である第１部分６１Ａを、幅方向における両端部である第２部分６１Ｂよりも強く加熱するようになっている。加熱部材６１の第１部分６１Ａと第２部分６１Ｂは幅方向に並んでいる。本実施形態では、第１部分６１Ａの幅は、１５０〜１８０ｍｍとなっており、第１ヒータ６２のみでＡ５サイズのシートＳを加熱可能である。
【００４８】
第２ヒータ６３は、加熱部材６１を加熱する。第２ヒータ６３は、幅方向における両端部６３Ｂの出力が幅方向における中央部６３Ａより出力が高い。このため、第２ヒータ６３は、加熱部材６１のうち、第２部分６１Ｂを、第１部分６１Ａよりも強く加熱するようになっている。
【００４９】
図４（ａ）に示すように、層転写装置１は、シートＳの通過を検知するシートセンサ９０をさらに備えている。シートセンサ９０は、シートＳの搬送方向において、加熱部６０の上流側に配置されている。シートセンサ９０は、中央シートセンサ９１と、サイドシートセンサ９２とを有している。中央シートセンサ９１およびサイドシートセンサ９２は、筐体本体２１に揺動可能に支持されている。中央シートセンサ９１およびサイドシートセンサ９２は、シートＳに接触すると揺動してＯＮとなる（図１参照）。
【００５０】
中央シートセンサ９１は、幅方向において、加熱部材６１の第１部分６１Ａに対応した位置に配置されている。中央シートセンサ９１は、シートＳが第１部分６１Ａの表面上を通過するか否かを検知可能である。本実施形態では、中央シートセンサ９１は、幅方向において、シートＳの搬送経路の中央に位置している。
【００５１】
サイドシートセンサ９２は、幅方向において、加熱部材６１の第２部分６１Ｂに対応した位置に配置されている。サイドシートセンサ９２は、シートＳが第２部分６１Ｂの表面上を通過するか否かを検知可能である。本実施形態では、サイドシートセンサ９２は、幅方向において、シートＳの搬送経路の中央からＤ１だけ、具体的には７５〜８０ｍｍ離れて位置している。
【００５２】
図４（ａ），（ｂ）に示すように、シートＳが第１部分６１Ａと両側の第２部分６１Ｂの表面上を通過するシートＳＨ１である場合、中央シートセンサ９１とサイドシートセンサ９２の両方がＯＮとなる。シートＳＨ１は、例えばＡ４サイズ（横幅２１０ｍｍ）やレターサイズ（横幅２１５．９ｍｍ）である。
シートＳが第１部分６１Ａの表面上を通過し、第２部分６１Ｂの表面上を通過しないシートＳＨ２である場合、中央シートセンサ９１のみがＯＮとなる。シートＳＨ２は、例えばＡ５サイズ（１４８ｍｍ）やＡ６（１０５ｍｍ）を中央寄せしたものである。
シートＳが第１部分６１Ａと片側の第２部分６１Ｂの表面上を通過するシートＳＨ３である場合、中央シートセンサ９１とサイドシートセンサ９２の両方がＯＮとなる。シートＳＨ３は、例えばＡ５サイズ（１４８ｍｍ）やＡ６（１０５ｍｍ）を片寄せしたものである。
【００５３】
図１に戻って、本実施形態では、層転写装置１は、加圧ローラ５１によって加熱部６０を加圧する接触位置と、加熱部６０と加圧ローラ５１とを離間させる離間位置との間で、加熱部６０と加圧ローラ５１の少なくとも一方の部材を移動させる接離機構７０を備えている。
接離機構７０は、加熱部６０を多層フィルムＦに対して接触・離間させるため、加熱部６０を移動させる。接離機構７０は、カバー２２を閉じている状態においては、制御部８０が層転写制御を行うときに、加熱部６０を多層フィルムＦに接触する接触位置に移動させる。また、接離機構７０は、カバー２２が開けられた場合や、転写部５０においてシートＳに層転写を行わない場合には、加熱部６０を多層フィルムＦから離間する離間位置に位置させる。
【００５４】
制御部８０は、ＣＰＵ，ＲＯＭ，ＲＡＭ、不揮発性メモリなどを有し、予め用意されたプログラムに基づいて各種制御を行うように構成される。ＲＯＭ，ＲＡＭ、不揮発性メモリなどには、層転写制御に必要なデータとして例えば、装着された多層フィルムに対する最適な制御テーブルが記憶されている。そして、例えば、ユーザが筐体２のカバー２２に設けられた操作パネル８５を操作して、シートＳに層転写を行う場合には、制御部８０は、操作パネル８５からの信号を受けて、層転写制御を行う。
【００５５】
このように構成された層転写装置１では、層転写を行う場合、シートＳの表面を下向きにしてシートトレイ３に載置されたシートＳが、シート供給機構１１により一枚ずつ転写部５０に向けて搬送される。シートＳは、転写部５０のシート搬送方向における上流側で、供給リール３１から供給された多層フィルムＦと重ねられ、シートＳのトナー像と多層フィルムＦが接触した状態で転写部５０に搬送される。
【００５６】
転写部５０においては、シートＳと多層フィルムＦが加圧ローラ５１と加熱部６０の間のニップ部を通過する際に、加熱部６０と加圧ローラ５１により加熱および加圧され、トナー像の上に層が転写される。
【００５７】
層が転写された後、シートＳと多層フィルムＦは密着した状態で第２案内軸４２まで搬送される。シートＳと多層フィルムＦが第２案内軸４２を通過すると、多層フィルムＦの搬送方向がシートＳの搬送方向と異なる方向に変わるため、シートＳから多層フィルムＦが剥離される。
【００５８】
シートＳから剥離された多層フィルムＦは、巻取リール３５に巻き取られていく。一方、多層フィルムＦが剥離されたシートＳは、シート排出機構１２によって、層が転写された表面を下に向けた状態で、筐体２の外部に排出される。
【００５９】
以下、図５および図６を参照して、フィルムユニットＦＵについて説明する。
図５に示すように、フィルムユニットＦＵは、樹脂などからなるホルダ１００と、ホルダ１００に着脱可能なフィルムカートリッジＦＣとを備えている。フィルムカートリッジＦＣは、前述した多層フィルムＦ、供給リール３１および巻取リール３５と、供給ケース３２とを備えている。フィルムカートリッジＦＣは、ホルダ１００に取り付けられた状態で、筐体本体２１に着脱可能となっている。
【００６０】
供給リール３１（詳しくは、供給ケース３２）および巻取リール３５は、ホルダ１００に対して、供給リール３１の軸方向に直交する方向に着脱可能となっている。
【００６１】
供給ケース３２は、供給リール３１を収容する中空のケースである。供給ケース３２は、樹脂などからなり、略円筒状の外周壁３２Ａと、外周壁３２Ａの両端に設けられる略円板状の２つの側壁３２Ｂとを有する。供給リール３１は、供給ケース３２の各側壁３２Ｂに回転可能に支持されている。
外周壁３２Ａには、３つの凹部３２Ｄが供給リール３１の軸方向に並んで形成されており、識別子としての係合片Ｐ１，Ｐ２，Ｐ３が各凹部３２Ｄに固定可能である。
各側壁３２Ｂは、供給リール３１の軸方向から見て長尺状の係合部３２Ｃを有している。各係合部３２Ｃは、後述するホルダ１００の着脱ガイドＧによってガイドされる部位であり、角丸長方形状に形成されている。
【００６２】
ホルダ１００は、ベースフレーム１１０と、ベースフレーム１１０に回動可能（移動可能）に支持される規制フレーム１２０とを有している。
ベースフレーム１１０は、前述した第１案内軸４１と第２案内軸４２を回転可能に支持している。また、ベースフレーム１１０は、第１保持部１１１と、第２保持部１１２と、２つの連結部１１３と、２つの取手１１４とを有している。
規制フレーム１２０は、第３案内軸４３を回転可能に支持している。
【００６３】
第１保持部１１１は、供給ケース３２を保持する部位である。第１保持部１１１は、供給ケース３２を介して供給リール３１を保持している。
第１保持部１１１の両側壁１１１Ｂは、供給ケース３２の着脱時に供給ケース３２を所定方向にガイドする着脱ガイドＧを有している。着脱ガイドＧは、各側壁１１１Ｂの軸方向内側の面（供給ケース３２と軸方向で対面する内面）に形成されている。着脱ガイドＧは、係合部３２Ｃが挿入される入り口が狭く形成されている。
また、両側壁１１１Ｂの外側には、ボス１１１Ｃが設けられている。各ボス１１１Ｃは、フィルムユニットＦＵの筐体本体２１への着脱時において、筐体本体２１に形成された第１保持部ＧＤ１（図２参照）でガイドされる部位である。
【００６４】
第２保持部１１２は、巻取リール３５を保持する部位である。詳しくは、第２保持部１１２は、規制フレーム１２０とともに、中空のケースを構成しており、中空のケース内に巻取リール３５を収容している。
【００６５】
２つの連結部１１３は、第１保持部１１１と第２保持部１１２とを連結する部位である。各連結部１１３は、供給リール３１の軸方向に間隔を開けて配置されている。
このように連結部１１３が形成されることで、ホルダ１００は、供給リール３１の軸方向に直交する直交方向に貫通する貫通穴１００Ａを有する。
各取手１１４は、各連結部１１３の上に配置されている。各取手１１４は、ホルダ１００のうち巻取リール３５の軸方向両端にそれぞれ配置されている。
【００６６】
フィルムカートリッジＦＣをホルダ１００から取り外す際は、供給ケース３２を前後に少し回転させ、各係合部３２Ｃをホルダ１００の着脱ガイドＧから引き抜ける角度に合わせた後、直交方向に持ち上げることで、供給ケース３２を第１保持部１１１から引き抜く。また、規制フレーム１２０を開けて、巻取リール３５を直交方向に持ち上げることで、第２保持部１１２から巻取リール３５を引き抜く。
一方、フィルムカートリッジＦＣをホルダ１００に装着する際は、供給ケース３２を第１保持部１１１に装着し、巻取リール３５を第２保持部１１２に装着する。供給ケース３２の装着は、各係合部３２Ｃが着脱ガイドＧの入り口を通過できる角度で第１保持部１１１に挿入した後、供給リール３１が外れないように、供給ケース３２を少し回転させて、各係合部３２Ｃを着脱ガイドＧの奥側に位置させることで行う。巻取リール３５の装着は、巻取リール３５を第２保持部１１２に挿入した後、規制フレーム１２０を閉めることで行う。
このように、フィルムカートリッジＦＣは、供給リール３１が供給ケース３２およびホルダ１００のボス１１１Ｃを介して第１保持部ＧＤ１に着脱可能であり、巻取リール３５ＧＤ１が第２保持部ＧＤ２に着脱可能である。
【００６７】
ホルダ１００には、多層フィルムＦの幅と位置が異なるフィルムカートリッジＦＣを装着することが可能である。例えば、ホルダ１００には、第１フィルムカートリッジＦＣ１、第２フィルムカートリッジＦＣ２、または、第３フィルムカートリッジＦＣ３を装着可能である。
【００６８】
図６（ａ）に示すように、幅がＨ１である多層フィルムＦを有する第１フィルムカートリッジＦＣ１が装着されたフィルムユニットＦＵを第１フィルムユニットＦＵ１と呼ぶ。第１フィルムユニットＦＵ１は、層転写装置１に装着された状態において、多層フィルムＦが第１部分６１Ａと第２部分６１Ｂとに跨って対面するように多層フィルムＦを保持している。なお、幅Ｈ１は、フィルムユニットＦＵに配置可能な多層フィルムＦの最大幅であり、一例として、２２０ｍｍである。
第１フィルムユニットＦＵ１は、外周壁３２Ａに形成された３つの凹部３２Ｄのすべてに係合片Ｐ１，Ｐ２，Ｐ３が固定されている。
【００６９】
図６（ｂ）に示すように、幅がＨ２である多層フィルムＦを有し、多層フィルムＦが中央に寄せられて配置された第２フィルムカートリッジＦＣ２が装着されたフィルムユニットを第２フィルムユニットＦＵ２と呼ぶ。第２フィルムユニットＦＵ２は、層転写装置１に装着された状態において、多層フィルムＦが第２部分６１Ｂと対面せず、第１部分６１Ａのみに対面するように多層フィルムＦを保持している。なお、幅Ｈ２は、幅Ｈ１より小さく、一例として、１１０ｍｍである。
第２フィルムユニットＰＵ２は、外周壁３２Ａに形成された３つの凹部３２Ｄのうち、左右両側の２つの凹部３２Ｄには係合片Ｐ１，Ｐ３が固定されており、中央の凹部３２Ｄには係合片が固定されていない。
【００７０】
図６（ｃ）に示すように、幅がＨ３である多層フィルムＦを有し、多層フィルムＦが多層フィルムＦの幅方向の片側に寄せられて配置された第３フィルムカートリッジＦＣ３が装着されたフィルムユニットを第３フィルムユニットＦＵ３と呼ぶ。第３フィルムユニットＦＵ３は、層転写装置１に装着された状態において、多層フィルムＦが第１部分６１Ａと第２部分６１Ｂとに跨って対面するように多層フィルムＦを保持している。なお、幅Ｈ３は、幅Ｈ１より小さく、一例として、１１０ｍｍである。
第３フィルムユニットＰＵ３は、外周壁３２Ａに形成された３つの凹部３２Ｄのうち、中央の凹部３２Ｄと、左右片側の凹部３２Ｄに係合片Ｐ１，Ｐ２が固定されており、左右片側のもう一方の凹部３２Ｄには係合片が固定されていない。
【００７１】
図７（ａ）に示すように、層転写装置１は、多層フィルムＦが加熱部材６１の第２部分６１Ｂの表面上を通過するか否かを検知可能なフィルムセンサの一例としての３つの装着検知センサＡＳ１，ＡＳ２，ＡＳ３を備えている。
【００７２】
装着検知センサＡＳ１，ＡＳ２，ＡＳ３は、アクチュエータＡＴ１，ＡＴ２，ＡＴ３と、アクチュエータＡＴ１，ＡＴ２，ＡＴ３に対応して設けられた透過型の光センサＬＳ（図８（ｂ）に、アクチュエータＡＴ３に対応する光センサＬＳ３のみを図示する）を備える。
光センサＬＳは、発光素子ＬＥと受光素子（図示せず）を備え、発光素子ＬＥと受光素子の間には、アクチュエータＡＴ１，ＡＴ２，ＡＴ３が位置している。光センサＬＳは、受光素子（図示せず）が発光素子ＬＥからの光Ｌを受光すると、制御部８０にＬＯＷを表す信号を送る。また、光センサＬＳは、受光素子が発光素子ＬＥからの光Ｌを受光しない場合、制御部８０にＨＩＧＨを表す信号を送る。
【００７３】
アクチュエータＡＴ１，ＡＴ２，ＡＴ３は、例えば、フィルムユニットＦＵが筐体本体２１に装着された状態で、供給ケース３２の外周壁３２Ａに形成された３つ凹部３２Ｄに対応する位置に配置されている。
各アクチュエータＡＴ１，ＡＴ２，ＡＴ３は、受光素子（図示せず）が発光素子ＬＥからの光Ｌを受光しない遮蔽位置（図８（ａ）参照）と、受光素子（図示せず）が発光素子ＬＥからの光Ｌを受光する開放位置（図８（ｂ）参照）との間で回動可能となっている。
【００７４】
第１フィルムユニットＦＵ１が筐体本体２１に装着されると、３つの係合片Ｐ１，Ｐ２，Ｐ３と係合して、すべてのアクチュエータＡＴ１，ＡＴ２，ＡＴ３が、遮蔽位置から開放位置へと回動する。
第２フィルムユニットＦＵ２が筐体本体２１に装着されると、２つの係合片Ｐ１，Ｐ３と係合して、アクチュエータＡＴ１，ＡＴ３が遮蔽位置から開放位置へと回動する。
第３フィルムユニットＦＵ３が筐体本体２１に装着されると、２つの係合片Ｐ１，Ｐ２と係合して、アクチュエータＡＴ１，ＡＴ２が遮蔽位置から開放位置へと回動する。
【００７５】
より詳細には、図８（ａ）および図８（ｂ）に示すように、各アクチュエータＡＴ１，ＡＴ２，ＡＴ３は同様に構成され、略三角形形状の本体部Ａ１と、本体部Ａ１の一辺に沿って一方向に延びる第１脚部Ａ２と、本体部Ａ１の一辺に沿って第１脚部Ａ２とは異なる方向に延びる第２脚部Ａ３とを有している。
本体部Ａ１は、筐体本体２１に回動可能に支持される回動軸Ａ５を有している。第１脚部Ａ２は、対応する係合片Ｐ１，Ｐ２，Ｐ３と係合可能な係合面Ａ７を一端に有している。第２脚部Ａ３は、発光素子ＬＥと受光素子（図示せず）の間を遮る遮蔽面Ａ８を有している。
また、各アクチュエータＡＴ１，ＡＴ２，ＡＴ３は、バネ（図示せず）により、図８（ａ）に示す遮蔽位置に付勢されている。
【００７６】
図８（ａ）に示すように、第２フィルムユニットＦＵ２が筐体本体２１に装着されると、供給ケース３２の外周壁３２Ａに形成された３つ凹部３２Ｄのうち、中央の凹部３２Ｄには係合片が固定されていないので、アクチュエータＡＴ２は遮蔽位置から回動することはない。
このとき、アクチュエータＡＴ２の遮蔽面Ａ８は、発光素子ＬＥと受光素子（図示せず）の間に位置しており、発光素子ＬＥからの光Ｌを遮断しているので、受光素子は発光素子ＬＥからの光Ｌを受光することができない。
一方、図８（ｂ）に示すように、外周壁３２Ａに形成された３つ凹部３２Ｄのうち、右側の凹部３２Ｄには係合片Ｐ３が固定されているので、第２フィルムユニットＦＵ２が筐体本体２１に装着されると、係合片Ｐ３がアクチュエータＡＴ３の係合面Ａ７と係合して、アクチュエータＡＴ３を図示時計回りに回動させる。その結果、アクチュエータＡＴ３が遮蔽位置から開放位置へ回動して、遮蔽面Ａ８で遮蔽されていた発光素子ＬＥからの光Ｌが受光素子で受光されるようになる。
【００７７】
制御部８０は、フィルムセンサ、すなわち３つの装着検知センサＡＳ１，ＡＳ２，ＡＳ３からの信号を受けることで、第１フィルムユニットＦＵ１、第２フィルムユニットＦＵ２または第３フィルムユニットＦＵ３のどれが筐体本体２１に装着されているのか判断することができる。
【００７８】
具体的には、図７（ｂ）の表に示すように、アクチュエータＡＴ１に対応する光センサ（第１センサ）と、アクチュエータＡＴ２に対応する光センサ（第２センサ）と、アクチュエータＡＴ３に対応する光センサ（第３センサ）からの信号が、いずれもＬＯＷである場合には、制御部８０は、第１フィルムユニットＦＵ１が筐体本体２１に装着されていると判断する。
また、制御部８０は、第１センサおよび第３センサからの信号がＬＯＷで、第２センサからの信号がＨＩＧＨである場合には、第２フィルムユニットＦＵ２が筐体本体２１に装着されていると判断する。
また、第１センサおよび第２センサからの信号がＬＯＷで、第３センサからの信号がＨＩＧＨである場合には、制御部８０は、第３フィルムユニットＦＵ３が筐体本体２１に装着されていると判断する。
さらに、第１センサ、第２センサおよび第３センサからの信号がいずれもＨＩＧＨである場合には、制御部８０は、第１フィルムユニットＦＵ１、第２フィルムユニットＦＵ２または第３フィルムユニットＦＵ３のいずれも筐体本体２１に装着されていないと判断する。
【００７９】
３つの装着検知センサＡＳ１，ＡＳ２，ＡＳ３は、多層フィルムＦが、第１部分６１Ａと第２部分６１Ｂとに跨って対面するように層転写装置１に保持されている場合に第１信号を制御部８０に出力する。つまり、３つの装着検知センサＡＳ１，ＡＳ２，ＡＳ３は、第１フィルムユニットＦＵ１または、第３フィルムユニットＦＵ３が装着された場合に第１信号を制御部８０に出力する。
【００８０】
３つの装着検知センサＡＳ１，ＡＳ２，ＡＳ３は、多層フィルムＦが、第２部分６１Ｂと対面せず、第１部分６１Ａのみに対面するように層転写装置１に保持されている場合に第２信号を制御部８０に出力する。つまり、３つの装着検知センサＡＳ１，ＡＳ２，ＡＳ３は、第２フィルムユニットＦＵ２が装着された場合に第２信号を制御部８０に出力する。
【００８１】
制御部８０は、第１信号を受けることで、多層フィルムＦが加熱部材６１の第２部分６１Ｂの表面上を通過すると判定する。
制御部８０は、第２信号を受けることで、多層フィルムＦが加熱部材６１の第２部分６１Ｂの表面上を通過しないと判定する。
【００８２】
制御部８０は、層転写時に、第１ヒータ６２を所定の消費電力で制御するとともに、第２ヒータ６３を第１の消費電力または第１の消費電力より小さな第２の消費電力で制御することが可能である。第２の消費電力は、第１の消費電力より小さく、消費電力がゼロである場合すなわち第２ヒータがＯＦＦである状態を含む。本実施形態では、第２の消費電力をゼロとしており、第２ヒータを第２の消費電力で制御するとき、ＯＦＦとしている。
【００８３】
制御部８０は、第１信号を３つの装着検知センサＡＳ１，ＡＳ２，ＡＳ３から受けた場合、シートＳの搬送を開始する前から第２ヒータ６３の第１の消費電力による制御を開始する。
そして、制御部８０は、シートＳの搬送を開始した後、シートＳが加熱部材６１の第２部分６１Ｂの表面上を通過しないことを示す信号をシートセンサ９０から受けた場合、詳しくは、中央シートセンサ９１がＯＮして所定時間以内（シートＳがサイドシートセンサ９２に対応する位置を通過するまでの時間）にサイドシートセンサ９２がＯＮしない場合、第２ヒータ６３を第１の消費電力による制御から第２の消費電力による制御に切り替える。
制御部８０は、第２信号を３つの装着検知センサＡＳ１，ＡＳ２，ＡＳ３から受けた場合、シートＳの搬送を開始する前から第２ヒータ６３の第２の消費電力による制御を開始する。
【００８４】
制御部８０は、多層フィルムＦおよびシートＳの両方が加熱部材６１の第２部分６１Ｂの表面上を通過する場合、詳しくは、中央シートセンサ９１がＯＮして所定時間以内（シートＳがサイドシートセンサ９２に対応する位置を通過するまでの時間）にサイドシートセンサ９２がＯＮする場合、第２ヒータ６３を第１の消費電力で制御する。
制御部８０は、多層フィルムＦおよびシートＳのうち少なくとも一方が加熱部材６１の第２部分６１Ｂの表面上を通過しない場合、第２ヒータ６３を第２の消費電力で制御する。
【００８５】
制御部８０は、多層フィルムＦが第２部分６１Ｂの表面上を通過すると判定し、かつ、シートＳのうち搬送方向下流部分が第２部分６１Ｂの表面上を通過しないと判定することにより、第２ヒータ６３を第２の消費電力とした後、前記下流部分が前記第２部分の表面上を通過しないと判定したシートＳのうち搬送方向上流部分が第２部分６１Ｂの表面上を通過すると判定した場合、第２ヒータ６３の制御を第２の消費電力による制御から第１の消費電力による制御に切り替える。
例えば、図１０（ａ）に示すように、シートＳの前端部分（搬送方向下流側）の幅が狭く、後端部分（搬送方方向上流側）の幅が広いシートＳＨ５を搬送させた場合の制御部８０の動作を説明する。
図１０（ｂ）に示すように、長方形のシートＳＨ１を搬送した場合、中央シートセンサ９１がＯＮになるのと同時にサイドシートセンサ９２がＯＮになる（Ｔ＝ｔ１）。その後、中央シートセンサ９１がＯＦＦになるのと同時にサイドシートセンサ９２がＯＦＦになる（Ｔ＝ｔ３）。
一方、図１０（ｃ）に示すように、シートＳＨ５を搬送した場合、中央シートセンサ９１がＯＮになる時（Ｔ＝ｔ１）より遅れてサイドシートセンサ９２がＯＮになる（Ｔ＝ｔ２）。その後、中央シートセンサ９１がＯＦＦになるのと同時にサイドシートセンサ９２がＯＦＦになる（Ｔ＝ｔ３）。
制御部８０は、中央シートセンサ９１がＯＮになった時からＯＦＦになるまでの間（ｔ１〜ｔ３）にサイドシートセンサ９２がＯＮになった場合、シートＳが、シートＳＨ５のような、搬送方向下流部分が第２部分６１Ｂの表面上を通過せず、搬送方向上流部分が第２部分６１Ｂの表面上を通過するシートであると判断できる。
【００８６】
また、幅の狭いシート（例えばシートＳＨ２）を搬送した後、幅の広いシート（例えばシートＳＨ１）を搬送した場合の制御部８０の動作を説明する。
制御部８０は、多層フィルムＦが第２部分６１Ｂの表面上を通過すると判定し、かつ、所定のシートＳが第２部分６１Ｂの表面上を通過しないと判定した場合、第２ヒータ６３を第２の消費電力とする。
制御部８０は、第２ヒータ６３を第２の消費電力とした後で、シートＳの層転写が終了した後に搬送されてきた他のシートＳが第２部分６１Ｂの表面上を通過しないと判定した場合、他のシートＳの搬送が終了する前に次のシートの搬送を開始する。
制御部８０は、第２ヒータ６３を第２の消費電力とした後で、他のシートが第２部分６１Ｂの表面上を通過すると判定した場合、他のシートＳの搬送が終了する前に次のシートＳの搬送を開始するのを禁止する。
【００８７】
次に、図９のフローチャートを参照して、本実施形態における、制御部８０の動作の一例を説明する。
図９に示すように、制御部８０は、まず、層転写指令があるかどうか判断する（Ｓ１）。ステップＳ１において層転写指令がないと判断した場合には（Ｓ１，Ｎｏ）、制御部８０は、層転写指令があるまで待つ。
【００８８】
ステップＳ１において、制御部８０は、層転写指令があると判断した場合には（Ｓ１，Ｙｅｓ）、筐体本体２１に装着されたフィルムユニットＦＵが第１フィルムユニットＦＵ１または第３フィルムユニットＦＵ３であるかを判断する（Ｓ２）。
【００８９】
ステップＳ２において、制御部８０は、装着されたフィルムユニットＦＵが第１フィルムユニットＦＵ１または第３フィルムユニットＦＵ３でないと判断した場合には（Ｓ２，Ｎｏ）、第１ヒータ６２をＯＮ、第２ヒータ６３をＯＦＦにする（Ｓ２１）。ステップＳ２１の後、加熱部材６１の温度が所定の温度になったら、シートＳの搬送を開始する（Ｓ２２）。ステップＳ２２の後、制御部８０は、層転写が完了したかを判断する（Ｓ２３）。
【００９０】
ステップＳ２３において、層転写が完了していないと判断した場合には（Ｓ２３，Ｎｏ）、層転写が完了するまで待ち、層転写が完了したと判断した場合には（Ｓ２３，Ｙｅｓ）、ステップＳ１８に移行する。
【００９１】
一方、ステップＳ２において、制御部８０は、フィルムユニットＦＵが第１フィルムユニットＦＵ１または第３フィルムユニットＦＵ３であると判断した場合には（Ｓ２，Ｙｅｓ）、第１ヒータ６２および第２ヒータ６３をＯＮにする（Ｓ１１）。ステップＳ１１の後、加熱部材６１の温度が所定の温度になったら、シートＳの搬送を開始する（Ｓ１２）。ステップＳ１２の後、制御部８０は、中央シートセンサ９１がＯＮしたかを判断する（Ｓ１３）。
【００９２】
ステップＳ１３において、制御部８０は、中央シートセンサ９１がＯＮしていないと判断した場合には（Ｓ１３，Ｎｏ）、中央シートセンサ９１がＯＮするまで待ち、中央シートセンサ９１がＯＮしたと判断した場合には（Ｓ１３，Ｙｅｓ）、サイドシートセンサ９２が所定時間内にＯＮしたかを判断する（Ｓ１４）。
【００９３】
ステップＳ１４において、制御部８０は、サイドシートセンサ９２が所定時間内にＯＮしていないと判断した場合には（Ｓ１４，Ｎｏ）、第２ヒータ６３をＯＦＦし（Ｓ２４）、ステップＳ１７に移行する。一方、ステップＳ１４において、制御部８０は、サイドシートセンサ９２が所定時間内にＯＮしたと判断した場合には（Ｓ１４，Ｙｅｓ）、前のシートＳと現在搬送中のシートＳのサイズ（幅）が違うかを判断する（Ｓ１５）。
【００９４】
ステップＳ１５において、制御部８０は、前のシートＳと現在搬送中のシートＳのサイズ（幅）が違うと判断した場合（Ｓ１５，Ｙｅｓ）、現在搬送中のシートＳを排出し（Ｓ２５）、本制御を終了する。このため、制御部８０は層転写指令が残っていても次のシートを搬送しない。
【００９５】
一方、ステップＳ１５において、制御部８０は、前のシートＳと現在搬送中のシートＳのサイズ（幅）が違わないと判断した場合（Ｓ１５，Ｎｏ）、第２ヒータ６３をＯＮし（Ｓ１６）、層転写完了かを判断する（Ｓ１７）。なお、層転写完了かどうか判断するには、例えば、中央シートセンサ９１がＯＦＦになってからの経過時間に基づいて判断すればよい。
【００９６】
ステップＳ１７において、制御部８０は、層転写終了でないと判断した場合（Ｓ１７，Ｎｏ）、ステップＳ１４に移行する。一方、ステップＳ１７において、制御部８０は、層転写終了であると判断した場合（Ｓ１７，Ｙｅｓ）、次に層転写するシートがあるかを判断する（Ｓ１８）。
【００９７】
ステップＳ１８において、制御部８０は、次に層転写するシートがあると判断した場合（Ｓ１８，Ｙｅｓ）、ステップＳ２に移行し、次に層転写するシートがないと判断した場合（Ｓ１８，Ｎｏ）、本制御を終了する。
【００９８】
次に、第１フィルムユニットＦＵ１または第３フィルムユニットＦＵ３が装着されている状態で、シートＳＨ５（図１０（ａ）参照）を搬送させた場合の制御部８０の動作を説明する。
ここでは、第１フィルムユニットＦＵ１または第３フィルムユニットＦＵ３が装着されているので、ステップＳ２において、制御部８０は、多層フィルムＦが第２部分６１Ｂの表面上を通過すると判断し（Ｓ２，Ｙｅｓ）、第１ヒータ６２および第２ヒータ６３をＯＮし（Ｓ１１）、シートＳの搬送を開始（Ｓ１２）してステップＳ１３に進む。
制御部８０は、中央シートセンサ９１がＯＮされた後（Ｓ１３）、シートＳＨ５（正確にはシートＳＨ５の搬送方向下流部分）がサイドシートセンサ９２をＯＮしないので（Ｓ１４，Ｎｏ）、第２ヒータ６３をＯＦＦとする（Ｓ２４）。
制御部８０は、ステップＳ２４の後、層転写が完了していないので（Ｓ１７，Ｎｏ）再びステップＳ１４に移行する。ステップＳ１４において、層転写が完了する前に、シートＳＨ５（正確にはシートＳＨ５の搬送方向上流部分）がサイドシートセンサ９２をＯＮすると、制御部８０は、シートＳＨ５が第２部分６１Ｂの表面上を通過すると判断し（Ｓ１４，Ｙｅｓ）、ステップＳ１５に進む。
ステップＳ１５において、制御部８０は、前のシートＳとサイズが違わないと判断し（Ｓ１５，Ｎｏ）、第２ヒータ６３をＯＮする（Ｓ１６）。
【００９９】
次に、第１フィルムユニットＦＵ１または第３フィルムユニットＦＵ３が装着されている状態で、中寄せ、幅狭のシートＳ（例えばシートＳＨ２）の層転写が終了した後に、搬送されてきた他のシートＳが幅広である場合（例えばシートＳＨ１）の制御部８０の動作を説明する。
ここでは、第１フィルムユニットＦＵ１または第３フィルムユニットＦＵ３が装着されているので、ステップＳ２において、制御部８０は、多層フィルムＦが第２部分６１Ｂの表面上を通過すると判断し（Ｓ２，Ｙｅｓ）、第１ヒータ６２および第２ヒータ６３をＯＮし（Ｓ１１）、シートＳの搬送を開始（Ｓ１２）してステップＳ１３に進む。
中央シートセンサ９１がＯＮされた後（Ｓ１３）、シートＳＨ２がサイドシートセンサ９２をＯＮしないので（Ｓ１４，Ｎｏ）、制御部８０は、第２部分６１Ｂの表面上を通過しないと判断して、第２ヒータ６３をＯＦＦとする（Ｓ２４）。
ステップＳ２４の後、層転写が完了すると（Ｓ１７，Ｙｅｓ）、制御部８０は、次に層転写するシートＳＨ１があるので（Ｓ１８，Ｙｅｓ）、ステップＳ２に戻った後、ステップＳ１１〜Ｓ１４を実行する。
すると、ステップＳ１４において、サイドシートセンサ９２がＯＮとなるので、制御部８０は、次に搬送されてきた他のシートＳＨ１が第２部分６１Ｂの表面上を通過すると判断し（Ｓ１４，Ｙｅｓ）、ステップＳ１５に進む。
ステップＳ１５において、制御部８０は、前のシートとサイズが違うと判断し（Ｓ１５，Ｙｅｓ）、現在のシートＳＨ１を排出し（Ｓ２５）、制御を終了するので、次のシートＳを搬送しない。
【０１００】
以上によれば、本実施形態において、以下のような効果を得ることができる。
制御部８０は、多層フィルムＦおよびシートＳのうち少なくとも一方が加熱部材６１の第２部分６１Ｂの表面上を通過しない場合、第２ヒータ６３を第２の消費電力で制御する。このため、第２ヒータ６３が加熱部材６１をムダに加熱してしまうことを抑制できる。このため、層転写装置１の消費電力を抑制することができる。
【０１０１】
層転写装置１は、多層フィルムＦが加熱部材６１の第２部分６１Ｂの表面上を通過するか否かを検知可能なフィルムセンサを備える。このため、ユーザが多層フィルムＦの大きさをわざわざ入力する必要がなくなる。
【０１０２】
層転写装置１は、シートＳが第２部分６１Ｂの表面上を通過するか否かを検知可能なシートセンサ９０を備える。このため、ユーザがシートＳの大きさをわざわざ入力する必要がなくなる。
【０１０３】
また、制御部８０がシート搬送を開始する前から第２ヒータ６３の第１消費電力による制御を開始するので、シート搬送を開始してから層転写するまでの時間を短縮できる。
また、シートＳが加熱部材６１の第２部分６１Ｂの表面上を通過しない場合には、制御部８０が第２ヒータ６３を第２の消費電力による制御に切り替えるので、第２ヒータ６３が加熱部材６１をムダに加熱してしまうことを抑制できる。このようにして、層転写するまでの時間を短くすることができるとともに消費電力を小さくすることができる。
【０１０４】
また、制御部８０が第２信号を受けた場合、すなわち多層フィルムＦが加熱部材６１の第２部分６１Ｂの表面上を通過しない場合には、第２ヒータ６３を第２の消費電力による制御とするので、加熱部材６１のムダな加熱を抑制できる。
【０１０５】
また、制御部８０は、多層フィルムＦが第２部分６１Ｂの表面上を通過すると判定し、かつ、シートＳのうち搬送方向下流部分が第２部分６１Ｂの表面上を通過しないと判定することにより、第２ヒータ６３を第２の消費電力とした後、下流部分が第２部分６１Ｂの表面上を通過しないと判定したシートＳのうち搬送方向上流部分が第２部分６１Ｂの表面上を通過すると判定した場合、＋第２ヒータ６３の制御を第２の消費電力による制御から第１の消費電力による制御に切り替える。このため、例えば、搬送方向下流部分の幅が狭く、搬送方向上流側の幅が広い形状の長方形でないようなシートＳが搬送された場合であっても、制御部８０が第２の消費電力による制御から第１の消費電力による制御に切り替えるので、シートＳの幅が広い部分の加熱が弱くなることを抑制できる。
【０１０６】
また、制御部８０は、多層フィルムＦが第２部分６１Ｂの表面上を通過すると判定し、かつ、シートＳが第２部分６１Ｂの表面上を通過しないと判定した場合、第２ヒータ６３を第２の消費電力とし、第２ヒータ６３を第２の消費電力とした後で、シートＳの層転写が終了した後に搬送されてきた他のシートＳが第２部分６１Ｂの表面上を通過しないと判定した場合、他のシートＳの搬送が終了する前に次のシートＳの搬送を開始し、第２ヒータ６３を第２の消費電力とした後で、他のシートＳが第２部分６１Ｂの表面上を通過すると判定した場合、他のシートＳの搬送が終了する前に次のシートＳの搬送を開始するのを禁止する。このため、幅の狭いシートＳを層転写した後に、幅の広い他のシートＳが搬送されてきた場合、次のシートＳを搬送しないので、次のシートＳに対する層転写不良を抑制できる。
【０１０７】
以上、本発明の実施形態について説明したが、本発明は前記実施形態に限定されるものではない。具体的な構成については、本発明の趣旨を逸脱しない範囲で適宜変更が可能である。
【０１０８】
前記実施形態では、加熱部材６１が円筒形に形成された金属管からなるローラであったが、本発明はこのような構成に限定されない。例えば、加熱部材はフィルムやベルトであってもよい。また、加熱部材を加熱するヒータは、加熱部材の内部に配置されていても外部に配置されていてもよい。
【０１０９】
前記実施形態では、第２ヒータ６３は、両端部６３Ｂの出力が中央部６３Ａの出力より高く、加熱部材６１の両端部である第２部分６１Ｂを第１部分６１Ａよりも強く加熱するものであったが、両端部６３Ｂのうち片方の端部６３Ｂの出力のみが中央部６３Ａの出力より高く、加熱部材６１の第２部分６１Ｂのうち一方のみを第１部分６１Ａよりも強く加熱するものであってもよい。この場合において、幅方向における両端部のうち一端部の出力のみが中央部の出力より高く、加熱部材６１の第２部分６１Ｂのうち他方のみを第１部分６１Ａよりも強く加熱する第３のヒータを配置してもよい。
また、第２ヒータ６３が、両端部６３Ｂのうち片方の端部の出力のみが中央部６３Ａの出力より高く、加熱部材６１の第２部分６１Ｂのうち一方のみを第１部分６１Ａよりも強く加熱するものである場合において、第１ヒータ６２を、中央部６２Ａの出力と両端部６２Ｂのうち一端部の出力が両端部６２Ｂのうち他端部の出力より高く、第１部分６１Ａと第２部分６１Ｂのうち他方を第２部分６１Ｂのうち一方よりも強く加熱するものとしてもよい。
【０１１０】
前記実施形態では、シートセンサが中央シートセンサとサイドシートセンサを１つずつ有していたが、シートセンサは、中央シートセンサおよびサイドシートセンサを複数有する構成としてもよい。この場合において、複数のサイドシートセンサは、中央シートセンサの幅方向における両側に配置するとよい。
【０１１１】
前記実施形態では、フィルムカートリッジＦＣをホルダ１００に装着した状態であるフィルムユニットＦＵを層転写装置に装着していたが、フィルムカートリッジＦＣをホルダに装着せずに直接、層転写装置に装着する構成であってもよい。この場合、前記実施形態のホルダ１００に相当する部分が層転写装置の筐体と一体に形成されている形態とすればよい。
【０１１２】
前記実施形態では、第１フィルムユニットＦＵ１が装着された場合に、フィルムセンサが第１信号を制御部８０に出力していたが、第１フィルムユニットＦＵ１が装着されたことをユーザが操作部から入力してもよい。同様に、第２フィルムユニットＦＵ２が装着された場合に、フィルムセンサが第２信号を制御部８０に出力していたが、第２フィルムユニットＦＵ２が装着されたことをユーザが操作部から入力してもよい。
【０１１３】
前記実施形態では、転写する層の種類によって定着速度（プロセス速度）を変更させていなかったが、転写する層の種類のよって定着速度（プロセス速度）を変更させてもよい。また、層を構成する材質、厚さに応じて定着速度（プロセス速度）を変更してもよい。
例えば、制御部８０は、転写層が金属箔を含む判断したときには、プロセス速度をＶ１とし、転写層が箔を含まないと判断したときには、プロセス速度をＶ１より遅いＶ２とすればよい。
【０１１４】
前記実施形態では、層転写装置１は、接離機構７０によって加熱部６０を移動可能に構成したが、加圧部材を接離機構によって移動させたり、加熱部材と加圧部材の両方を接離機構によって移動させたりすることもできる。
【０１１５】
また、前記した各実施形態で説明した各要素を、任意に組み合わせて実施してもよい。
【符号の説明】
【０１１６】
１      層転写装置
５０    転写部
５１    加圧ローラ
６０    加熱部
６１    加熱部材
６１Ａ  第１部分
６１Ｂ  第２部分
６２    第１ヒータ
６３    第２ヒータ
８０    制御部
９０    シートセンサ
Ｆ      多層フィルム
ＦＣ    フィルムカートリッジ
ＦＵ    フィルムユニット
Ｓ      シート
【図１】
2020122908.tif 000003
【図２】
2020122908.tif 000004
【図３】
2020122908.tif 000005
【図４】
2020122908.tif 000006
【図５】
2020122908.tif 000007
【図６】
2020122908.tif 000008
【図７】
2020122908.tif 000009
【図８】
2020122908.tif 000010
【図９】
2020122908.tif 000011
【図１０】
2020122908.tif 000012